(57)【要約】【課題】ステンレス製品の浴槽において、浴槽本体の胴壁が振動して不快音を発するのを防止する。【解決手段】ステンレス製の浴槽本体１の胴壁３の外周面に、所定の上下幅を有するステンレス鋼製の止めバンド１０が、胴壁３との間に帯状のゴムパッキン１１をはさんで周回状に緊縛されている。【選択図】　　　　図１
2004024633.tif 000002
【特許請求の範囲】
【請求項１】
ステンレス製の浴槽本体１の胴壁３の外周面に、所定の上下幅を有する止めバンド１０が、胴壁３との間に帯状のゴムパッキン１１をはさんで周回状に緊縛されていることを特徴とするステンレス浴槽。
【請求項２】
浴槽本体１にステンレス鋼製の止めバンド１０が緊縛されている請求項１記載のステンレス浴槽。
【請求項３】
止めバンド１０には、これの両端どうしを着脱自在に連結するための連結手段１２を有する請求項２記載のステンレス浴槽。
【発明の詳細な説明】
【０００１】
【発明の属する技術分野】
空の浴槽に上方から水をドドッと注いだときや、身体が当たると、浴槽本体が振動して不快騒音が発生する。とくにステンレス製の浴槽において騒音が激しい。本発明は、かかる騒音の発生を防止するようにしたステンレス浴槽に関する。
【０００２】
【従来の技術】
従来の浴槽では、浴槽本体の外側表面にウレタン樹脂を吹き付けた被覆層を形成し、この被覆層が前述の騒音発生を抑止していた。
【０００３】
【発明が解決しようとする課題】
しかし、従来の浴槽では、リサイクル利用しようとしたときに、浴槽本体から異材質の被覆層をいちいち剥ぎ取らなければならず、この剥ぎ取り作業に手間と時間とが掛かり過ぎるところに問題があった。また、先の被覆層には雑菌やカビが付着しやすいところにも問題があった。
【０００４】
そこで本発明の目的は、不快な騒音の発生を低減できるうえ、リサイクル利用にも適ったステンレス浴槽を得ることにある。
【０００５】
【課題を解決するための手段】
本発明に係るステンレス浴槽は、図１および図２に示すごとく、ステンレス製の浴槽本体１の胴壁３の外周面に、所定の上下幅を有するステンレス鋼製の止めバンド１０が胴壁３との間に帯状のゴムパッキン１１をはさんで周回状に緊縛されていることを特徴とする。その止めバンド１０には、これの両端どうしを着脱自在に連結する連結手段１２を有する。
【０００６】
ゴムパッキン１１は、弾性的に圧縮変形できるものであれば、天然ゴム材ないし合成ゴム材のいずれでもよいし、これと均等の合成樹脂材で成形されていてもよい。ゴムパッキン１１は、これ自体の圧縮変形作用で止めバンド１０を確りと緊縛できるよう働くとともに、胴壁３との摩擦係合で止めバンド１０が上下方向にズレ動くのも防止する。
【０００７】
【発明の効果】
浴槽本体１の胴壁３は、コーナー部間において振動しやすく、これが騒音発生の要因になっている。本発明では、胴壁３の外周面にゴムパッキン１１をはさんで止めバンド１０が緊縛されているので、これにて胴壁３の振動を抑止し、かつゴムパッキン１１で振動を吸収する。従って、浴槽本体１が不快騒音を発することを良く防止できる。その一方で、浴槽の廃棄時には、止めバンド１０を外すだけで、浴槽本体１と止めバンド１０とゴムパッキン１１とを別々に回収することができる。
【０００８】
ステンレス製の浴槽本体１に対してステンレス鋼製の止めバンド１０を緊縛してあると、材質的に違和感がなく見栄えの良いものとなる。ゴムパッキン１１は止めバンド１０で確りと圧縮状態に納まっているので、これらに雑菌やカビが繁殖することもなく、清潔に長期使用できる。
【０００９】
止めバンド１０の両端に連結手段１２を備えていると、浴槽本体１に対する止めバンド１０の取り付け、取り外しが簡単に行えて便利である。
【００１０】
【発明の実施の形態】
図１ないし図５は本発明に係る浴槽の実施例を示す。この浴槽本体１は、ステンレス製であって、浴室の床面Ｗに据え置きされるタイプである。
【００１１】
浴槽本体１は、図１および図３に示すごとく、底壁２と、これから立ち上がる胴壁３とを有し、胴壁３の上端開口周縁から外側へフランジ５が水平状に張り出し形成されている。
【００１２】
浴槽本体１には、これの前面側を覆う化粧用のエプロン６を備えている。エプロン６は、これの上端がフランジ５の前面部分の内面に固定されている。浴槽本体１の下面四隅には、支持脚７がそれぞれ溶接で固定されており、各支持脚７の下端に設けた合成ゴム製のキャップ８が浴室の床面Ｗに受け止められる。エプロン６の下端も、これの左右に設けた２本の補助脚９で床面Ｗに受け止められている。
【００１３】
図１において浴槽本体１には、騒音の発生を防止するために第１の防振手段と第２の防振手段とを有する。第１の防振手段として、浴槽本体１の胴壁３の外周面には、上下方向のほぼ中央部位に所定の上下幅を有する薄肉のステンレス鋼製の止めバンド１０が、胴壁３との間に合成ゴム製の帯状のゴムパッキン１１をはさんで周回状に締め付け固定されている。止めバンド１０の上下幅は、３５ｍｍであって、ゴムパッキン１１のそれよりも大きい。
【００１４】
止めバンド１０の両端には、これの両端どうしを着脱自在に連結するための連結手段１２を備えている。この連結手段１２は、図２（Ｃ）に示すごとく、止めバンド１０の両端にそれぞれ溶接したＬ字形の止め片１３・１３と、各止め片１３・１３に設けた挿通孔に挿通されるボルト１５と、ボルト１５に螺合される止めナット１６とからなる。
【００１５】
一方の止め片１３側から他方の止め片１３へボルト１５を通し、このボルト１５の先端に止めナット１６を螺合することにより、止めバンド１０の両端をボルト止め連結できる。
【００１６】
これにより、浴槽本体１の胴壁３の外周面に、１本のゴムパッキン１１を周回状に巻き付けてその両端を突き合わせ、ゴムパッキン１１の外側に止めバンド１０を周回状に巻き付けたのち、ボルト１５を締め込んでゴムパッキン１１がはみ出ないように止めバンド１０を胴壁３に対して緊縛する。このとき、ゴムパッキン１１は圧縮変形する。この取り付け作業はボルト１５を回転操作するだけで手軽に行える。
【００１７】
浴槽本体１の前面にエプロン６を備えており、左右側方および後方が浴室の壁面に面している使用状態においては、止めバンド１０は外側から見えない。エプロン６を備えていない浴槽においては、止めバンド１０の両端の連結手段１２が浴槽本体１の前面側に位置しないように止めバンド１０を装着することになる。
【００１８】
浴槽の使用時に、浴槽本体１の胴壁３はゴムパッキン１１を介して止めバンド１０で緊縛されているので、胴壁３のコーナー部間も胴振いをせず、かつゴムパッキン１１が振動を吸収するので、浴槽本体１が振動による騒音を発し難いものとなる。
【００１９】
浴槽の廃棄処分に際しては、ボルト１５を緩めて止めナット１６から外せば、止めバンド１０、ゴムパッキン１１、浴槽本体１の三者をそれぞれ容易に分別回収できる。
【００２０】
更に第２の防振手段として、浴槽本体１の底壁２の外側下面の中央部位には、図４および図５に示すごとく、合成ゴム製からなる広幅の板状ゴムパッキン１９が配置してある。この板状ゴムパッキン１９は、中央部が上向きに湾曲した一対の板ばね２０・２０で浴槽本体４の底壁３に押し付けられている。各板ばね２０・２０は、浴槽本体１の底壁２の下面において対角線状に配置されており、その両端が対角位置にある支持脚７・７に固定されている。これにより、浴槽本体１の底壁２も、板ばね２０・２０および板状ゴムパッキン１９で押さえられて振動し難いものになっている。
【００２１】
先のゴムパッキン１１は、止めバンド１０の内面側に予め焼き付け固定されていてもよい。ゴムパッキン１１は、止めバンド１０の全長にわたって配置しておくことが望ましいが、部分的に分断状態で配置されていてもよい。なお、第２の防振手段において板状ゴムパッキン１９は、底壁２の下面に接着剤で固着してあってもよく、それらの場合、底壁２の下面に板状ゴムパッキン１９がほぼ全面的に配置されていてもよい。
【００２２】
止めバンド１０は、プラスチック成形品とし、これの一端部に設けた鋸歯状突起を、止めバンド１０の他端に設けた孔に挿通して抜け止め状に楔係合させることにより、止めバンド１０を浴槽本体１の胴壁３に締め付け固定してもよい。この場合は、浴槽回収時に止めバンド１０の適所を切断することにより、浴槽本体１から止めバンド１０およびゴムパッキン１１を分別回収できる。
【図面の簡単な説明】
【図１】全体の側面図
【図２】図２（Ａ）は図１におけるＡ部の拡大断面図、図２（Ｂ）は図１におけるＢ部の拡大断面図、図２（Ｃ）は図１におけるＣ部の拡大図
【図３】浴槽の使用状態を示す斜視図
【図４】浴槽の底部の縦断側面図
【図５】浴槽の底面図
【符号の説明】
１　浴槽本体
２　底壁
３　胴壁
１０　止めバンド
１１　ゴムパッキン
１２　連結手段
１５　ボルト
【図１】
2004024633.tif 000003
【図２】
2004024633.tif 000004
【図３】
2004024633.tif 000005
【図４】
2004024633.tif 000006
【図５】
2004024633.tif 000007